(57)【要約】【課題】光接続ユニットにおける作業性を良好にすることができるコネクタ付き光ファイバの提供。【解決手段】光ファイバ１１の一端部に光コネクタ１が組み立てられたコネクタ付き光ファイバ１０。光コネクタ１は、視認可能な光を発する識別用発光部８を備えている。識別用発光部８は、光ファイバ１１の他端部側における操作により発光させることができる。【選択図】図１
2010237233.tif 000002
【特許請求の範囲】
【請求項１】
光ファイバの少なくとも一端部に光コネクタが組み立てられたコネクタ付き光ファイバであって、
前記光コネクタは、視認可能な光を発する識別用発光部を備え、
前記識別用発光部は、前記光ファイバの他端部側における操作により発光させることができることを特徴とするコネクタ付き光ファイバ。
【請求項２】
前記光ファイバには、前記識別用発光部からこの光ファイバの他端部に至る識別光用光ファイバが添えられ、
前記識別光用光ファイバは、前記他端側から入射させた光を前記識別用発光部にて出射させることによりこの識別用発光部を発光させることができることを特徴とする請求項１に記載のコネクタ付き光ファイバ。
【請求項３】
前記光ファイバには、前記識別用発光部からこの光ファイバの他端部に至る導電体が添えられ、
前記識別用発光部は、前記導電体を介する給電により発光させることができる発光素子であることを特徴とする請求項１に記載のコネクタ付き光ファイバ。
【発明の詳細な説明】
【技術分野】
【０００１】
本発明は、光配線盤や光接続箱等の光接続ユニットにおいて使用できるコネクタ付き光ファイバに関する。
【背景技術】
【０００２】
光接続ユニットでは、多数本の光ファイバコード等の光ファイバが接続されて用いられている（例えば特許文献１を参照）。光ファイバは、一端に光コネクタが組み立てられてコネクタ付き光ファイバとして用いられている。
【先行技術文献】
【特許文献】
【０００３】
【特許文献１】特開２００４−２４６１４７号公報
【発明の概要】
【発明が解決しようとする課題】
【０００４】
しかしながら、光ファイバの本数が多い場合には、これらが集合して配線され、配線変更などのため一部の光ファイバを撤去する作業や保守作業等において、光接続ユニットに接続された目的の光ファイバの一端側と他端側を特定するのが難しくなる。このため、光ファイバ撤去作業や保守作業等において作業性が低下することがあった。
本発明は前記事情に鑑みてなされたもので、光接続ユニットにおける作業性を良好にすることができるコネクタ付き光ファイバの提供を目的とする。
【課題を解決するための手段】
【０００５】
本発明の請求項１にかかる発明は、光ファイバの少なくとも一端部に光コネクタが組み立てられたコネクタ付き光ファイバであって、前記光コネクタは、視認可能な光を発する識別用発光部を備え、前記識別用発光部は、前記光ファイバの他端部側における操作により発光させることができるコネクタ付き光ファイバである。
本発明の請求項２にかかる発明は、請求項１において、前記光ファイバには、前記識別用発光部からこの光ファイバの他端部に至る識別光用光ファイバが添えられ、前記識別光用光ファイバは、前記他端側から入射させた光を前記識別用発光部にて出射させることによりこの識別用発光部を発光させることができるコネクタ付き光ファイバである。
本発明の請求項３にかかる発明は、請求項１において、前記光ファイバには、前記識別用発光部からこの光ファイバの他端部に至る導電体が添えられ、前記識別用発光部は、前記導電体を介する給電により発光させることができる発光素子であるコネクタ付き光ファイバである。
【発明の効果】
【０００６】
本発明によれば、光ファイバの一端部の光コネクタに設けられた識別用発光部を、光ファイバの他端側における操作により発光させることができるため、目的の光コネクタを容易に特定できる。
従って、光ファイバを撤去する作業や保守作業等における作業性が良好になる。
【図面の簡単な説明】
【０００７】
【図１】本発明のコネクタ付き光ファイバの第１の実施形態を模式的に示す斜視図である。
【図２】コネクタ付き光ファイバの内部構造を示す模式図である。
【図３】コネクタ付き光ファイバの断面図である。
【図４】本発明のコネクタ付き光ファイバを適用可能な光接続ユニットの要部を示す斜視図である。
【図５】本発明のコネクタ付き光ファイバを適用可能な光接続ユニットの概略構成を示す図である。
【図６】本発明のコネクタ付き光ファイバの第２の実施形態の内部構造を示す模式図である。
【発明を実施するための形態】
【０００８】
図１〜図３は、本発明のコネクタ付き光ファイバの第１の実施形態であるコネクタ付き光ファイバ１０を示すもので、図１は、このコネクタ付き光ファイバ１０を模式的に示す斜視図であり、図２は、コネクタ付き光ファイバ１０の内部構造を示す模式図である。図３は、コネクタ付き光ファイバ１０の断面図である。
このコネクタ付き光ファイバは、光ファイバ１１の一端部に光コネクタ１が組み立てられたものである。光ファイバ１１としては、光ファイバコード、光ファイバ心線などが使用できる。ここでは光ファイバ１１は光ファイバコードである。
【０００９】
図１〜図３に示すように、光コネクタ１は、光フェルール２（以下、単にフェルールという）と、フェルール２を収容するプラグフレーム３と、プラグフレーム３に取り付けられたストップリング４と、ストップリング４内に設けられた付勢手段５（スプリング）と、プラグフレーム３の外側に設けられたカップリング６とを備えている。符号７はブーツ部である。
フェルール２の先端面２ａには、光ファイバコード１１から引き出された光ファイバ心線１２から口出しされた光ファイバ裸線１３の先端部が露出している。
【００１０】
光ファイバコード１１は、光ファイバ心線１２と、これに縦添えされた識別光用光ファイバ１５と、抗張力体１６とがポリエチレン等の樹脂からなる外被１７に覆われている。
識別光用光ファイバ１５としては、光ファイバ心線、光ファイバ素線等が使用でき、光コネクタ１内において先端が側方に向けられ、カップリング６に設けられた開口部６ａから外部に視認可能な光を発するようになっている。この識別光用光ファイバ１５の先端部１５ａ（一端部）は、外部に視認可能な光を発する識別用発光部８となっている。
【００１１】
次に、コネクタ付き光ファイバ１０の使用方法について説明する。
図４および図５は、コネクタ付き光ファイバ１０が適用される光接続ユニット２１を示すもので、光接続ユニット２１は、フレーム２２内に、上下に多段に設けられた複数の成端部２３を備えている。
成端部２３は、光コネクタアダプタ２４（光コネクタハウジング）が複数配列されて構成された複数のアダプタ配列部２５を備えている。
コネクタ付き光ファイバ１０の光コネクタ１は、各光コネクタアダプタ２４に接続可能である。
【００１２】
図５に示すように、複数のコネクタ付き光ファイバ１０が光接続ユニット２１のアダプタ配列部２５に接続され、これらコネクタ付き光ファイバ１０が多数（例えば数１０〜数１００本）集合配置されているときには、目的とする１本のコネクタ付き光ファイバ１０（符号１０Ａで示す）を特定するのが難しくなる。
このため、コネクタ付き光ファイバ１０Ａの一端部に設けられた光コネクタ１（符号１Ａで示す）を、他端部側から特定するには、次の方法をとることができる。
【００１３】
ＬＥＤなどの発光素子を用いた発光部１９ａを有する発光装置１９を用いて、光ファイバコード１１の他端部に設けられた光コネクタ１８から、識別光用光ファイバ１５の他端部に光を入射させる。発光部１９ａとしては視認可能な光を発するものが使用される。
なお、識別光用光ファイバ１５には、光ファイバコード１１の一端部と他端部との間の中間位置から光を導入してもよい。
【００１４】
入射した光は識別光用光ファイバ１５内を伝搬し、コネクタ付き光ファイバ１０Ａの光コネクタ１Ａにおいて識別用発光部８から外部に出射する。この出射光を確認することによって、光コネクタ１Ａを容易に特定できる。
従って、光ファイバを撤去する作業や保守作業等における作業性が良好になる。
【００１５】
図６は、本発明のコネクタ付き光ファイバの第２の実施形態であるコネクタ付き光ファイバ３０を模式的に示す図である。
なお、以下の説明において第１の実施形態のコネクタ付き光ファイバ１０との共通点については同じ符号を付してその説明を省略する。
コネクタ付き光ファイバ３０は、光ファイバコード４１の両端にそれぞれ光コネクタ３１が設けられている。
【００１６】
光ファイバコード４１は、光ファイバ心線１２と、これに縦添えされた電線３５、３６とを内蔵している。
光コネクタ３１は、外部から視認可能な識別用発光部３２と、給電端子部３３とを有する。
識別用発光部３２は、発光ダイオード（ＬＥＤ）、レーザダイオード（ＬＤ）などの、可視光を発する発光素子からなる。
【００１７】
光ファイバコード４１の一端側の光コネクタ３１（符号３１Ａで示す）の識別用発光部３２（符号３２Ａで示す）は、他端側の光コネクタ３１（符号３１Ｂで示す）の給電端子部３３（符号３３Ｂで示す）に、電線３５を介して電気的に接続されている。
他端側の光コネクタ３１Ｂの識別用発光部３２（符号３２Ｂで示す）は、一端側の光コネクタ３１Ａの給電端子部３３（符号３３Ａで示す）に、電線３６を介して電気的に接続されている。
【００１８】
コネクタ付き光ファイバ３０では、他端側の光コネクタ３１Ｂの給電端子部３３Ｂから電線３５を介して、一端側の光コネクタ３１Ａの識別用発光部３２Ａに給電し発光させる。これによって、光コネクタ３１Ａを容易に特定できる。
同様に、光コネクタ３１Ａの給電端子部３３Ａから電線３６を介して、光コネクタ３１Ｂの識別用発光部３２Ｂに給電し発光させることによって、光コネクタ３１Ｂを容特定可能とすることができる。
【００１９】
なお、この実施形態では、識別用発光部３２に給電する手段として電線３５、３６を用いたが、これに限らず、金属、カーボン系材料等の導電体を使用できる。
【００２０】
光コネクタ１０の基本構造としては、ＳＣ形光コネクタ（ＳＣ:Single fiber Coupling optical fiber connector。ＪＩＳ  Ｃ  ５９７３に制定されるＦ０４形光コネクタ（光コネクタプラグ）など）や、ＳＣ２形光コネクタ等の基本構造を採用できる。
【符号の説明】
【００２１】
１、３１・・・光コネクタ、８、３２・・・識別用発光部、１０、３０・・・コネクタ付き光ファイバ、１１、４１・・・光ファイバ、１５・・・識別光用光ファイバ、３５、３６・・・電線。
【図１】
2010237233.tif 000003
【図２】
2010237233.tif 000004
【図３】
2010237233.tif 000005
【図４】
2010237233.tif 000006
【図５】
2010237233.tif 000007
【図６】
2010237233.tif 000008